(57)【要約】【課題】  エレベータ籠内のディスプレイ上にエレベータ運行状況を表示しつつ、表現機能を向上させて、乗客のストレスを緩和する。【解決手段】  エレベータ籠内の表示部１は複数の表示領域を有し、そのひとつの表示領域に動画コンテンツを表示し、この動画コンテンツをするイベント信号によって切替える時、一旦動画コンテンツの動きを停止させ、この停止画像を表示したのち、コンテンツの切替を行う表示制御装置を備えたエレベータシステムを提供する。【選択図】        図６
2005314115.tif 000002
【特許請求の範囲】
【請求項１】
表示部に複数の表示領域を設けて各表示領域にコンテンツを表示し、ある表示領域の動画コンテンツの表示中にこの表示領域のコンテンツを切替えるイベント信号が発生したとき、当該表示領域のイベント信号発生時の動画コンテンツの動きを停止させてその停止画像を表示したのち前記イベント信号に対応するコンテンツに切替える表示制御装置を備えたエレベータシステム。
【請求項２】
請求項１において、前記表示制御装置が、動画データ処理部と、動画表示バッファからなる動画処理部と、イベント信号に対応して動画表示バッファの内容を保持する手段とを備えていることを特徴とするエレベータシステム。
【請求項３】
請求項１において、前記表示制御装置が、動画コンテンツの内容を記憶部で内部データに展開したのち画面表示バッファに転送して動画コンテンツの表示を行う手段と、イベント信号に対応して画面表示バッファの動画表示領域に対応する部分に静止画データを転送する手段とを備えていることを特徴とするエレベータシステム。
【請求項４】
表示部に複数の表示領域を設けて各表示領域にコンテンツを表示し、ある表示領域の動画コンテンツの表示中にこの動画コンテンツの表示領域のコンテンツを切替えるイベント信号が発生したとき、当該表示領域にイベント信号発生時の静止画を表示したのち、前記イベント信号に対応するコンテンツに切替える表示制御装置を備えたエレベータシステム。
【請求項５】
前記表示制御装置が、外部信号受信部と、この外部信号を蓄積する外部信号蓄積受信部と、蓄積した外部信号を解釈して表示制御コントローラにイベント信号の受信を伝達する外部信号解釈部とを備えていることを特徴とする請求項１〜請求項４のいずれか１項に記載のエレベータシステム。
【請求項６】
表示部をエレベータ籠および各階のエレベータホール毎に設けるとともに、エレベータ籠内の表示部を制御する表示制御装置と、複数のエレベータホールの表示部を制御する表示制御装置とを備えたエレベータシステム。
【請求項７】
表示部をエレベータ籠および各階のエレベータホール毎に設けるとともに、エレベータ籠内の表示部を制御する表示制御装置と、前記各階のエレベータホールのうちの主エレベータホールの表示部を制御する表示制御装置と、前記主エレベータホール以外の他エレベータホールの表示部を制御する表示制御装置とを備えたエレベータシステム。
【発明の詳細な説明】
【技術分野】
【０００１】
この発明は、エレベータシステムに係わるものであり、より詳しくはエレベータ籠内、またはエレベータホールに設置されたディスプレイ（以下、「表示部」という）の表示制御装置、ならびにこの表示制御装置の設置方法に関する。
【背景技術】
【０００２】
エレベータを利用する乗客に対し、エレベータ籠（以下、「籠」という）内において、エレベータの運行情報と背景画等の外部映像を合成して表示部に表示するシステムとしては特開平７−３０９５４５号公報に記載の技術がある。以下、この従来技術について図１７を用いて説明する。複数の籠４０１は、エレベータ制御装置４０２からの制御信号Ｃｘによって昇降動作およびドア開閉動作が制御されている。各籠４０１には表示部４０３が設置されており、表示部４０３は映像発生合成装置４０４に接続されている。また、複数の籠４０１には共通の外部映像再生装置４０５が配置されており、この外部映像再生装置４０５の映像信号Ｖｘが籠４０１の映像発生合成装置４０４に供給されている。外部映像再生装置４０５は各籠４０１の表示部４０３の背景となる映像を提供する。各映像発生合成装置４０４は画像蓄積装置（図示せず）を備えており、籠４０１の現在位置を示す階数表示画や、籠４０１が上昇中であるか下降中であるかを示す方向表示画等が蓄積されている。映像発生合成装置４０４は、エレベータ制御装置４０２から供給されるエレベータ運転情報データＣｙに従って、階数表示画や方向表示画等を映像信号Ｖｘと合成して表示部４０３に表示する。また、主制御装置４０６は、各映像発生合成装置４０４および外部映像再生装置を制御している。主制御装置４０６を操作することで、表示する背景を選択できる。
【０００３】
エレベータの乗客は、狭い空間を複数人で共有するための不快感といったストレスを生じ易い。この従来技術では、乗客のストレスを軽減することを目的に、籠内に表示部を設置して映像情報を表示し、また、映像に乗客の注目を効率よく集めるため、エレベータの運転情報をエレベータ制御装置から取得し、階数表示画や方向表示画等を表示部に重ねあわせて表示している。
【０００４】
【特許文献１】特開平７−３０９５４５号公報
【発明の開示】
【発明が解決しようとする課題】
【０００５】
従来のエレベータシステムは、表示部に表示する複数の動画や静止画、テキストと言った画像情報の取り扱いについて考慮されていない。このため、表示部上の表現方法が制限されるため、効果的にストレスを軽減することができない。実際、従来のエレベータシステムは、外部映像再生装置から伝達される背景画に運行状況の説明を合成して表示する機能がもっぱらであって、表示内容を効果的に表現する手段を有していない。主制御装置を使って映像発生合成装置の画像蓄積装置から背景画を表示することで、各籠内表示部の表示内容を変化させることも可能であるが、このような方法では、表示部の数が多くなると主制御装置は多くの映像発生合成装置を制御することが必要である。このため、表示部の数が多くなると制御負荷が大きくなり、制御が困難になる。
【０００６】
また、主制御装置により外部映像再生装置を制御して各表示部の表示内容を変化させることも可能であるが、このような方法では、外部映像再生装置内の映像信号源を多数用意する必要がありコストアップにつながる。
【０００７】
また、従来のエレベータシステムは、エレベータ運行状況を明示する階数表示画や方向表示画等について、動画を使って表示することが考慮されていないため、表示部で運行状況を説明する擬人化されたモデル（以下、「運行状況説明エージェント」という）による案内ができない。このため、乗客は運行状況の説明を読取る場合、説明に関する表示部分を凝視する必要があり、ストレス軽減効果が十分でない。
【０００８】
また、従来のエレベータシステムにおいては、もっぱらエレベータ籠内の表示部に表示をするだけで、エレベータホールでの表示は何ら考慮されていない。このため、エレベータホールはエレベータ到着まで一方的に待たされる場所であるが、エレベータの到着を待つ人々のストレスを軽減することができない。
【０００９】
また、エレベータホールの待機中の乗客は、エレベータの設置されているビルに関する情報を欲していると思われるが、この待機中の乗客に対して、エレベータの運行状況を提示しつつ、他の情報、例えば、時間や天気、エレベータ設置場所関係の提示物、広告、を表示することが考慮されていない。
【００１０】
この発明は以上のような問題点を解決するためになされたもので、第１の目的は、表示部にエレベータ運行状況を表示しつつ、表現機能を向上させて、乗客のストレスを緩和することである。また、表現機能の向上によって、乗客に案内情報やビル情報を提供することができる。第２の目的は、エレベータホールで待機中の乗客のストレスを緩和することである。そして、待機中の乗客に案内情報やビル情報を提供することができる。
【００１１】
以下、本明細書で、「コンテンツ」とは、エレベータシステムの表示部に表示される内容であって、作成者がある意図をもって作成した、動画や静止画、文字、音声等を意味する。（音声は表示部付近に設置されたスピーカから発生する）特に、断りなくコンテンツと記載した場合は、上記動画や静止画、文字、音声等の１つまたは複数を意味し、表示部の画面構成や時間的な変化を意味しない。
【００１２】
また、本明細書で、「コンテクスト」とは、表示部に表示される各コンテンツの組み合せや、各コンテンツの表示領域の配置を意味する。
【００１３】
また、本明細書で、「外部イベント信号」とは、エレベータシステムの表示制御装置外部から入力される信号であって、表示制御装置表示部の表示に作用する信号、例えば、エレベータ制御盤からの信号で表示制御装置の動作に影響を及ぼすもの、を意味する。
【００１４】
また、本明細書で、「内部イベント信号」とは、エレベータシステムの表示制御装置内部で発生する信号であって表示制御装置表示部の表示に作用する信号、例えば、表示制御装置の内部時計信号で表示変更時間を示すものや、の表示制御装置内の処理で発生した表示部の表示に作用する信号を意味する。
【００１５】
また、本明細書で、「イベント信号」とは、外部イベント信号および内部イベント信号を意味する。また、「イベント」とは、イベント信号を発生する要因を示す。
【００１６】
また、本明細書で、「主エレベータホール」とは、商業ビルやオフィスビル、マンション等のエレベータの設置されたビルのエレベータホールであって、玄関付近のエレベータホールや玄関のあるフロアーのエレベータホールと言った乗客の多いエレベータホールを意味する。上記以外に、ビルの管理者が指定するエレベータホールは「主エレベータホール」とする。また、主エレベータホール以外のエレベータホールを「他エレベータホール」と記す。
【課題を解決するための手段】
【００１７】
表示部に複数の表示領域を設けて各表示領域にコンテンツを表示し、ある表示領域の動画コンテンツの表示中にこの表示領域のコンテンツを切替えるイベント信号が発生したとき、当該表示領域のイベント信号発生時の動画コンテンツの動きを停止させてその停止画像を表示したのち前記イベント信号に対応するコンテンツに切替える表示制御装置を備えたものである。
【００１８】
また、表示部に複数の表示領域を設けて各表示領域にコンテンツを表示し、ある表示領域の動画コンテンツの表示中にこの動画コンテンツの表示領域のコンテンツを切替えるイベント信号が発生したとき、当該表示領域にイベント信号発生時の静止画を表示したのち、前記イベント信号に対応するコンテンツに切替える表示制御装置を備えたものである。
【００１９】
また、表示部をエレベータ籠および各階のエレベータホール毎に設けるとともに、エレベータ籠内の表示部を制御する表示制御装置と、複数のエレベータホールの表示部を制御する表示制御装置とを備えたものである。
【００２０】
また、表示部をエレベータ籠および各階のエレベータホール毎に設けるとともに、エレベータ籠内の表示部を制御する表示制御装置と、前記各階のエレベータホールのうちの主エレベータホールの表示部を制御する表示制御装置と、前記主エレベータホール以外の他エレベータホールの表示部を制御する表示制御装置とを備えたものである。
【発明の効果】
【００２１】
この発明は、以上説明したように構成されているので、以下に示すような効果を奏する。
【００２２】
表示部の複数の表示領域に、それぞれ異なるコンテンツを表示できるとともに、ある表示領域の動画コンテンツの表示中に、この動画コンテンツの表示領域のコンテンツを切替えるイベント信号が発生したとき、当該表示領域にイベント信号発生時の動画コンテンツをクリップして表示したのち、前記イベント信号に対応するコンテンツに切替えることができる。
【００２３】
また、表示部の複数の表示領域に、それぞれ異なるコンテンツを表示できるとともに、ある表示領域の動画コンテンツの表示中に、この動画コンテンツの表示領域のコンテンツを切替えるイベント信号が発生したとき、当該表示領域にイベント信号発生時の静止画を表示したのち、前記イベント信号に対応するコンテンツに切替えることができる。
【００２４】
また、エレベータ籠および各階のエレベータホールの表示部の表示を制御する表示制御装置で、少ない構成要素で構成することができる。
【００２５】
さらに、多彩なコンテンツの表現ができるので、エレベータ乗客とエレベータホールで待機中の乗客のストレスを緩和することができる。
【００２６】
また、多彩なコンテンツの表現ができるので、エレベータ乗客とエレベータホールで待機中の乗客に対し、効果的に案内情報を提供することができる。
【発明を実施するための最良の形態】
【００２７】
以下、この発明をその実施の形態を示す図面に基づいて具体的に説明する。
実施の形態１．
図１は、この発明の実施の形態１であるエレベータシステムの表示部の表示内容を示す図である。図１において、１は表示部であって、後述する表示制御装置によって表示内容が制御されている。２は表示領域であって、コンテンツＣ１が表示されている。３は表示領域であって、コンテンツＣ２が表示されている。４は表示領域であって、コンテンツＣ３が表示されている。図１では３つの表示領域に区分されたコンテクストを示している。
【００２８】
図２は、エレベータシステムの表示部１をエレベータ籠５内に設置した図である。表示部１は、液晶表示部やプラズマ表示部、ＣＲＴなどであって、操作パネル６の上部に設置されている。従来、多くのエレベータでエレベータの位置や到着階を示すインジケータの設置されている場所で、乗客の多くが見ることができる。７はエレベータ扉である。
【００２９】
表示制御装置は、イベント信号によって指定された表示領域のコンテンツを切替える。例えば、表示制御装置にエレベータの指定階到着案内を指定する外部イベント信号を受信した場合、表示領域２に運行状況説明エージェントによる指定階到着案内の音声付き動画（以下、「コンテンツＣＥ」という）を表示するように設定しておくと、このイベント信号を受信したとき、表示領域２のコンテンツＣ１がコンテンツＣＥに切替わり、このコンテンツＣＥへの切り替わりに同期してエレベータ籠５の扉７が開く。このようにして、運行状況説明エージェントにより指定階到着を動画と音声で案内することができる。コンテンツＣＥの終了後は、速やかに、表示領域２にコンテンツＣ１を表示する。
【００３０】
また、表示制御装置は、イベント信号によって複数の表示領域のコンテンツを切替える。例えば、上記運行状況説明エージェントによる案内中に、表示領域４において文字により到着階数を案内する。
【００３１】
表示制御装置に、イベント信号に対応して、どの表示領域にどのコンテンツを表示するかを設定することで、多彩な表現が可能になる。例えば、表示領域３を広告用コンテンツを表示する領域に割り当て、表示領域２を到着案内を表示する領域に割り当てる。この場合、設定された時間に発生する内部イベント信号で広告用コンテンツを切替えることで、一定面積で多くの広告情報を表示でき、到着案内を表示するために広告を非表示にする必要がない。
【００３２】
また、一部の表示領域を階数表示および運行状況表示の領域とすることで、既存のエレベータの階数表示インジケータの機能を代行することができる。この場合、運行状況表示領域のコンテクストを変更しないことで、乗客は常に表示部１の一定の箇所を見れば、運行状況を確認できる。
【００３３】
図１では、コンテクストとして、表示部１を３分割して３表示領域とする場合を示したが、分割数を規定するものではない。表示部１によっては、全面を表示領域にしたり、２分割以上にする場合もある。例えば、図２の表示部１が２分割され、下部の表示領域を運行状況表示する場合を示している。
【００３４】
この実施の形態１では、コンテクストを一定にする場合の説明を行ったが、イベント信号により、コンテクストの変更することを制限するものではない。乗客の注意を惹くために、コンテクストとコンテンツを同時に変更することができる。また、火災や地震といった緊急時の外部イベント信号を受信した場合、表示制御装置はコンテクストを変更して、より読取り易い表示方法によって必要な情報を乗客に伝達し、乗客の安全性を高める。
【００３５】
実施の形態２．
次に、この発明の実施の形態２について説明する。図３は、実施の形態２の表示制御装置のソフトウェア構成を示すブロック図、図４は、設定部９の処理手順を示す流れ図、図５は、表示コントロール部１０の処理手順を示す流れ図である。以下、表示制御装置８の動作について、時間軸に沿って説明する。
【００３６】
表示制御装置８は、起動時に設定部９のプログラムが起動する。設定部９は、図４に示すステップ２１１において、表示部１の表示領域を決めるコンテクストやイベント信号に対応したコンテンツ、そしてコンテンツの表示制御装置の蓄積装置内の存在個所といった各種設定を、表示制御装置８の内部データとして記憶する。この内部データは、表示コントロール部１０に伝達される。内部データの設定終了後、設定部９はステップ２０２において、内部データで設定されている起動直後の表示をする内部イベント信号を発生する。
【００３７】
表示コントロール部１０は、図５に示すステップ２０３におけるデータ設定が完了すると、イベント信号の受信を待機するイベント信号受信ステップ２０４になる。起動直後は設定部９から、起動直後の表示を行うようにイベント信号が発生するので、イベント表示ステップ２０５によって、表示部１の表示を行う。イベント表示ステップ２０５は、イベント信号と対応する内部データに従って動画処理部１１、静止画処理部１２、テキスト処理部１３を起動する。
【００３８】
動画表示を行う場合は、表示コントロール部１０は内部データに従って動画表示領域と表示する動画データ名を動画処理部１１に引き渡す。動画処理部１１は、表示コントロール部１０の指定に従って表示部１の表示を行う。
【００３９】
また、静止画の表示を行う場合は、表示コントロール部１０は内部データに従って静止画表示領域と表示する静止画データ名、および静止画の表示時間などを静止画処理部１２に引き渡す。静止画処理部１２は、表示コントロール部１０の指定に従って表示部１の表示を行う。例えば、表示時間が設定されている場合はその規定時間静止画を表示するように静止画処理部１２に指令する。
【００４０】
また、文字の表示を行う場合は、表示コントロール部１０は内部データに従って文字表示領域と表示する文字データ、および、スクロールして表示するか否かをテキスト処理部１３に引き渡す。テキスト処理部１３は、表示コントロール部１０の指定に従って表示部１の表示を行う。例えば、文字の表示領域に対して長い文を表示する場合は、表示コントロール部１０は文を規定回数スクロールして表示するようにテキスト処理部１３に指令する。
【００４１】
表示コントロール部１０の受信する内部イベント信号には、上記の起動時のイベント信号のほかに、動画終了時に動画処理部１１が発生する内部イベント信号、静止画を規定時間表示したのちに静止画処理部１２の発生する内部イベント信号、スクロールするテキストの表示を完了後テキスト処理部１３の発生する内部イベント信号などがある。
【００４２】
表示コントロール部１０は、内部イベント信号受信後、内部データに従って動画、静止画、テキストの表示を行う。例えば、動画に対して繰返し表示が設定されていると、動画終了毎に繰返して動画を表示する。また、動画の切替えに関連して静止画を切替えるように設定されていると、動画に同期して静止画を変更する。
【００４３】
また、ある内部イベント信号に対応して、動画処理部１１と静止画処理部１２を動かすことで、動画表示と同期して静止画表示をすることができる。動画終了の内部イベント信号によって、動画処理部１１と静止画処理部１２を動かすことで、動画終了に伴なって、動画と静止画が更新される。
【００４４】
また、表示コントロール部１０の受信する内部イベント信号には、内部時計１４の発生する内部イベント信号がある。この内部イベント信号によって、表示コンテンツを変更することで、時間によって表示コンテンツを切替えることができる。
【００４５】
表示コントロール部１０は、イベント信号に沿った内部データを各処理部１１、１２、１３に受け渡すと、終了命令が発生しない限り、イベント信号受信ステップ２０４に戻り、イベント信号を受信するまで待機する。
【００４６】
次に、図３を用いて、表示コントロール部１０の受信する外部イベント信号について説明する。エレベータ制御盤１５は、エレベータの運行と扉開閉、階数表示するインジケータやエレベータホールの扉開閉、インジケータ表示などの制御をするため制御信号を発信している。この制御信号を表示制御装置８は外部イベント信号として利用する。
【００４７】
エレベータ制御盤１５の制御信号は、表示制御装置８以外の機器の制御にも使われているため、制御信号のうち、表示制御装置８の外部イベント信号となる信号を抽出する必要がある。そこで、外部信号受信部１６で、エレベータ制御盤１５の制御信号を受信し、受信した制御信号を外部信号蓄積部１７に蓄積する。この蓄積した制御信号を、外部信号解析部１８で表示制御装置８に関係のある信号と他の制御信号に分類する。この外部信号解析部１８は表示制御装置８に関係のある信号を外部イベント信号として、表示コントロール部１０に伝達する。
【００４８】
外部イベント信号を受信したときの処理手順は、内部イベント信号の場合と同様である。すなわち、表示コントロール部１０は、イベント信号に沿った内部データを各処理部１１、１２、１３に受け渡し、各処理部によって、表示部１の表示が制御される。
【００４９】
表示に関係する内部データを、外部イベント信号による表示処理終了後、内部イベント信号を発生するように作成しておく。このことによって、表示部１の表示は、外部イベント信号による表示処理終了後に、外部イベント信号発生前の表示に戻ることができる。
【００５０】
例えば、表示部１のある表示領域に、階数案内の外部イベント信号によって、運行状況説明エージェントを表示するように設定しておく。この表示領域では、エレベータ運行中は、内部イベント信号によって指定されたコンテンツが表示されている。指定階に近づくと、エレベータ制御盤１５からの外部イベント信号が発生し、表示制御装置８は、この表示領域に運行状況説明エージェントを表示して、動画によって到着階の案内をする。運行状況説明エージェントの動画が終了すると、この表示領域には、もとの指定されたコンテンツが表示される。
【００５１】
実施の形態３．
図６は、この発明の実施の形態３の表示制御装置のハードウェア構成を示すブロック図で、図３と同一符号はそれぞれ同一または相当部分を示している。図６において、１９はＣＰＵで、表示制御装置８のデータ処理を行う。２０はＣＰＵバスで、ＣＰＵ１９、メインメモリ（ＲＡＭ）２１、ハードディスク（ＨＤＤ）２２、動画処理ハードウェア（ＨＷ）２３およびグラフィック処理ハードウェア（ＨＷ）２４間のデータ転送を行う。
【００５２】
ハードディスク２２には、表示制御装置８の設定をする設定データ、および表示するコンテンツデータが蓄積されている。ハードディスク２２に蓄積されたコンテンツのうち、動画データは圧縮されて蓄積されている。
【００５３】
表示制御装置８の起動時には、ハードディスク２２に蓄積された設定データに従って実施の形態２の表示制御プログラムが起動する。
【００５４】
次に、静止画の表示動作について説明する。ＣＰＵ１９が静止画の描画命令を受けると、ＣＰＵ１９はハードディスク２２に蓄積された静止画データをメインメモリ２１に転送し、メインメモリ２１上で適正な加工をしたのち、グラフィック処理ハードウェア２４に転送し、グラフィック処理ハードウェア２４で処理された１画面分の表示データが作成される。１画面分の表示データは、グラフィックデータバスを通ってデジタルエンコーダ２５に転送される。デジタルエンコーダ２５はこの表示データをアナログ信号に変換して出力する。このアナログ信号を表示部１に送信することで、静止画の表示が行われる。
【００５５】
文字の表示動作について説明する。ＣＵＰ１９はテキストの描画命令を受けると、ハードディスク２２に蓄積されたテキストデータを起動時に設定された内部データによるフォントの型や大きさなどを参照して、メインメモリ２１上でグラフィックデータに展開する。このグラフィックデータをグラフィック処理ハードウェア２４に転送し、静止画の場合と同様に処理することで、文字の表示が行われる。
【００５６】
グラフィック処理ハードウェア２４は、複数の静止画データや文字のグラフィックデータを受取ると、ＣＰＵ１９からの描画命令に従って各コンテンツを指定された表示領域に配置した１画面分の表示データを作成する。この表示データはデジタルエンコーダ２５でアナログ信号になり、表示部１に送信されて各表示領域に静止画および文字の表示が行われる。
【００５７】
次に、動画表示動作について説明する。ＣＵＰ１９が動画の描画命令を受けると、ＣＰＵ１９はハードディスク２２に蓄積された動画の圧縮データを動画処理ハードウェア２３に転送する。動画処理ハードウェア２３は、圧縮データを伸長し、この動画データを動画データバスを通してグラフィック処理ハードウェア２４に転送する。グラフィック処理ハードウェア２４は動画データと他のグラフィックスデータを合成してデジタル合成データを生成し、グラフィックデータバスを通してデジタルエンコーダ２５に転送する。このデジタル合成データはデジタルエンコーダ２５でアナログ信号になり、このアナログ信号が表示部１に送信されて動画を含むグラフィックが表示される。
【００５８】
上記動画表示時における動画データと他のグラフィックスデータの合成処理動作について図７を用いて説明する。図７において、３０１はグラフィック処理ハードウェア２４に入力される動画データを示すイメージ図、３０２はグラフィック処理ハードウェア２４に入力される静止画や文字のグラフィックスデータを示すイメージ図であり、３０３はグラフィック処理ハードウェア２４が出力するデジタル合成データを示すイメージ図である。
【００５９】
表示領域３０４はイメージ図３０２の静止画の表示領域、表示領域３０５はイメージ図３０２のテキストの表示領域、表示領域３０６はイメージ図３０２内で透明を指定された領域である。イメージ図３０１の動画データとイメージ図３０２のグラフィックデータを合成する過程において、グラフィック処理ハードウェア２４は、イメージ図３０１の上にイメージ図３０２を描画する。すなわち、イメージ図３０１のデータのうち、イメージ図３０２の不透明部分と重なる部分は、イメージ図３０２のデータが優先された結果表示されず、透明領域３０６に重なる部分３０７だけが表示される。
【００６０】
この結果、イメージ図３０２の表示領域３０４および表示領域３０５はイメージ図３０３の表示領域３０８および表示領域３０９となり、イメージ図３０３の表示領域３１０には、イメージ図３０１の表示領域３０７の動画データが表示される。以上のように動画、静止画および文字が合成されて表示される。また、イメージ図３０３の指定表示領域３０８〜３１０以外の部分には、イメージ図３０１の動画データが表示され、このイメージ図３０１の該当部分は、起動時に設定される。
【００６１】
次に、外部イベント信号の受信動作を図６を用いて説明する。２６は外部信号の処理を行う外部信号処理部で、バッファ２７、ＣＰＵ２８、メモリ（ＲＡＭ）２９で構成される。エレベータ制御盤１５から発信されるエレベータ運行に関わる制御信号は、バッファ２７に蓄積され、ＣＰＵ２８によってメモリ２９に転送される。メモリ２９に制御信号が制御信号の解析に必要な量ほど蓄積されると、ＣＰＵ２８によって制御信号の解析が行われる。制御信号解析の結果、表示制御装置８の外部イベント信号であった場合、ＣＰＵ２８はＣＰＵ１９に外部イベント信号の発生を伝える。ＣＰＵ１９は、メモリ２９の外部イベント信号を取得して外部イベント信号として処理を行う。また、制御信号解析の結果、他機器用の制御信号であった場合は、メモリ２９に蓄積した制御信号を放棄する。
【００６２】
イベント信号によって、ある表示領域の動画コンテンツを別の動画コンテンツに切替える場合、動画データが一旦途切れると、動画を再描画するまでの期間は動画表示領域の表示が乱れることがある。そこで、表示部１で画像の乱れのない動画コンテンツの切替え手順について説明する。
【００６３】
動画コンテンツの切替え命令があった場合、図７に示したグラフィックの透明領域３０６に、静止画を表示する。この後、第１の動画コンテンツを停止して、第２の動画コンテンツの再生を開始する。第２の動画コンテンツの再生開始時に、領域３０６を透明領域に変更する。この手順を切替え時に行うことで、表示部１の動画コンテンツ表示領域では、動画、静止画、動画の順で表示され、画面切替えに伴なう画像の乱れは生じない。このように表示を制御することで、表示部１を見る乗客に、画像が乱れるといった不快感を与えないようにできる。
【００６４】
実施の形態４．
図８は、この発明の実施の形態４に係る表示制御装置のハードウェア構成を示すブロック図で、図６と同一符号はそれぞれ同一または相当部分を示している。図において、３０は動画処理ハードウエアで、動画の圧縮データを蓄積するバッファ３１と、バッファ３１から圧縮データを受取って伸長するエンコーダ３２と、エンコーダ３２で伸長された動画データを１フレーム分蓄積し、１フレーム分の動画データをグラフィック処理ハードウェア２４に伝達するフレームメモリ３３と、バッファ３１、エンコーダ３２、フレームメモリ３３を制御する動画処理コントローラ３４で構成されている。
【００６５】
次に、動画処理ハードウエア３０を用いた動画表示について説明する。動画の描画命令を受けると、ハードディスク２２に蓄積された動画の圧縮データはバッファ３１に転送される。動画処理コントローラ３４はバッファ３１にある一定量Ａ以上のデータが蓄積されるとデータの転送を中止し、バッファ３１のデータを抜き取ってエンコーダ３２に転送する。動画処理コントローラ３４はバッファ３１のデータ量を監視しており、一定量Ａより少ない一定量Ｂ以下になった時、ハードディスク２２の圧縮データをバッファ３１に転送させる。上記の制御により、バッファ３１のデータ量は一定量Ｂ以上、かつ一定量Ａ以下に調節される。
【００６６】
このように、動画処理コントローラ３４は、バッファ３１を使ってエンコーダ３２にデータが途切れることなく伝達できるように制御を行う。エンコーダ３２によって伸長された動画データは、一旦フレームメモリ３３に蓄積されて、グラフィック処理ハードウェア２４に伝達される。グラフィック処理ハードウェア２４に伝達された動画データは、実施の形態３の場合と同様に、静止画や文字等と合成されて、デジタルエンコーダ２５を通して表示部１に出力されて表示される。
【００６７】
次に、この実施の形態４において、イベント信号によって動画コンテンツを別の動画コンテンツに切替える時の手順について説明する。動画コンテンツの切替え命令があった場合、動画処理コントローラ３４は現在のフレームメモリ３３の内容を保持した状態で、バッファ３１に新しい動画データを蓄積する。バッファ３１のデータ量がある一定量になった時点で、エンコーダ３２にデータを転送し、データを伸長したのち、フレームメモリ３３に転送する。このような手順で、動画の切替えを行うことで、この新しいデータがフレームメモリ３３に転送されるまで、前の動画データのあるフレームが動画の表示領域に表示され、画面切替えに伴なう画像の乱れは生じない。このような処理を行うことで、表示部１を見る乗客に、画像が乱れるといった不快感を与えないで動画コンテンツを切替えることができる。
【００６８】
実施の形態５．
図９は、この発明の実施の形態５に係る表示制御装置のハードウェア構成を示すブロック図で、図６と同一符号はそれぞれ同一または相当部分を示している。図において、３５はグラフィック処理ハードウェアであって、画像処理部３６および動画サイズ変更部３７から構成される。
【００６９】
次に、この実施の形態５における静止画の表示動作について説明する。ハードディスク２２に蓄積された静止画データは、メインメモリ２１に転送され、メインメモリ２１上で適正な加工をしたのち、グラフィック処理ハードウェア３５に転送される。この静止画データは、画像処理部３６で１画面分のデータとなり、デジタルエンコーダ２４に転送され、アナログ信号となって表示部１に表示される。文字表示については、文字データはメインメモリ２１上でグラフィックデータに展開され、このグラフィックデータを画像処理部３６に転送し、静止画と同様に処理することで表示される。静止画と文字の表示については、実施の形態３の場合と何ら変わるところはない。
【００７０】
次に動画データの処理について説明する。動画データを表示する場合、ハードディスク２２に蓄積された動画の圧縮データは動画処理ハードウェア２３に転送される。動画処理ハードウェア２３は圧縮データを伸長し、この動画データをグラフィック処理ハードウェア３５に転送する。この動画データは動画サイズ変更部３７で画面サイズの変更が行われ、画像処理部３６に送られる。画像処理部３６では、このサイズ変更された動画データを静止画等と合成して１画面分のデータを作り、この１画面分のデータはデジタルエンコーダ２５を通して表示部１に出力されて表示される。
【００７１】
上記の動画と静止画等の合成動作を図１０を用いて説明する。図において、３１１は動画処理ハードウェア２３から出力される動画データを示すイメージ図である。動画サイズ変更部３７は入力されたイメージ図３１１の動画データを拡大縮小して、指定された大きさのイメージ図３１２の動画データを作成し、この動画データを画像処理部３６に転送する。
【００７２】
３１３は画像処理部３６の出力する１画面分のデータのイメージ図で、３１４は静止画データのイメージ図、３１５は文字データのイメージ図、３１６は動画サイズ変更部３７から画像処理部３６に転送された動画データのイメージ図である。画像処理部３６は、静止画データのイメージ図３１４と文字データのイメージ図３１５および動画データのイメージ図３１６を指定された位置に配置したのち、各データを合成して１画面分のデータのイメージ図３１３を生成する。
【００７３】
実施の形態５においては、動画の画像を縮小拡大して、静止画等のグラフィックスと合成する部分をグラフィック処理ハードウェア３５の一部の機能として構成し、この処理をＣＰＵ１９を使ったソフトウェアで実現することも可能である。
【００７４】
実施の形態６．
図１１は、この発明の実施の形態６に係るエレベータシステムの構成図である。このエレベータシステムでは、表示部１はエレベータ籠１０１および各階のエレベータホール１０２にそれぞれ設置されており、それぞれ対応する表示制御装置８によって制御されている。表示制御装置８の出力する映像信号は映像ケーブル１０３を通って各表示部１に伝達される。また、１５はエレベータ制御盤であり、エレベータ制御信号Ｃにより、エレベータ籠１０１の運行や扉の開閉、および、各エレベータホール１０２の扉の開閉等を制御する。各表示制御装置８は、エレベータ制御盤１５から発信されるエレベータ制御信号Ｃを受信したのち、エレベータ制御信号Ｃを解析して、各装置で必要な信号に対しては、エレベータ制御信号Ｃを外部イベント信号の発生と解釈して、対応する動作を行う。エレベータ制御信号Ｃは制御信号信号線１０４を通って各部分に伝達される。
【００７５】
各表示制御装置８は上記実施の形態１から５で説明した表示制御装置８を用いる。また、各表示制御装置８は、外部イベント信号に応じて表示部１に適切なコンテンツを表示するように設定されている。特に、あるエレベータ制御信号Ｃに応じて、表示制御装置８毎に異なるコンテンツを表示するように設定することもできる。また、あるエレベータ制御信号Ｃについて、特定の表示制御装置だけに、外部イベント信号となるように設定することで、特定の表示部の制御をすることができる。
【００７６】
このエレベータシステムは、エレベータの運行に合せて、エレベータ制御盤１５から各表示制御装置８にエレベータ制御信号Ｃを送信して、エレベータ籠１０１内と各階のエレベータホール１０２において、エレベータ運行状況の案内を行う。
【００７７】
次に、このエレベータシステムを用いたエレベータ運行状況について説明する。エレベータ制御盤１５から到着階の情報を含むエレベータ制御信号Ｃを発信する。エレベータ籠１０１に設置された表示部１を制御する表示制御装置８は、エレベータ制御信号Ｃを受信後、表示部１のコンテンツを運行状況説明エージェントによる到着階案内のコンテンツに切替える。エレベータ制御信号Ｃの発信のタイミングを調節することで、エレベータ籠１０１の指定階への到着タイミングに合せた、到着案内をすることができる。また、到着予定階のエレベータホールでは、エレベータ籠１０１が到着するまでに必要な時間の目安を表示することで、エレベータ運行の情報を提供する。このように、表示部毎にいろいろな情報を提供することで、エレベータの運行に拘束される乗客の不快感を和らげることができる。
【００７８】
また、表示部１を分割して情報を提供することも可能である。例えば、分割された領域のひとつにエレベータ運行の情報を提供して、他の領域では一般的な情報を表示することができる。
【００７９】
この実施の形態６では、各表示制御装置８と表示部１は映像ケーブル１０３で結ばれているとしたが、電波や赤外線等を利用して、映像ケーブルなしで接続してもよい。また、エレベータ制御信号Ｃについても、制御信号信号線１０４に代えて、電波や赤外線等を利用して接続してもよい。
【００８０】
また、このエレベータシステムは、エレベータ籠内と全てのエレベータホールに表示部を設置し、対応する表示制御装置を設けた場合を説明したが、一部のエレベータホールのみに表示部１を設置し、対応する表示制御装置８を設けてもよい。
【００８１】
実施の形態７．
図１２は、この発明の実施の形態７に係るエレベータシステムの構成図である。図１２において、図１１と同一符号はそれぞれ同一または相当部分を示している。このエレベータシステムは、エレベータ制御盤１５および各表示制御装置８は制御信号信号線１０４で接続された状態でエレベータ機械室１０５に設置されており、各表示制御装置８と表示部１は映像ケーブル１０３で結ばれている。
【００８２】
この実施の形態７のエレベータシステムでは、エレベータ籠１０１の表示部１に対応する表示制御装置８をエレベータ機械室１０５に設置しているので、表示制御装置８をエレベータ籠１０１に設置して運用する場合に比べてエレベータ運行時に発生する振動の伝達を抑制することができる。また、表示制御装置８が一個所に集中して設置されているので、表示制御装置８のメンテナンス性に優れている。
【００８３】
実施の形態８．
図１３は、この発明の実施の形態８に係るエレベータシステムの構成図である。図１３において、図１１と同一符号はそれぞれ同一または相当部分を示している。このエレベータシステムにおいては、エレベータ籠１０１の表示部１を制御する表示制御装置８はエレベータ籠１０１に設置されており、表示制御装置８と表示部１は映像ケーブル１０３で接続されている。エレベータ制御盤１５からの制御信号線１０４は、エレベータ籠１０１を制御する機器に接続された後、表示制御装置８に接続される。
【００８４】
また、各エレベータホール１０２の表示部１を制御する表示制御装置８は、エレベータホールの扉開閉等を制御する機器（図示せず）の付近に設置され、表示制御装置８と表示部１は映像ケーブル１０３で接続されている。エレベータ制御盤１５からの制御信号線１０４は、上記扉開閉等を制御する機器に接続された後、表示制御装置８に接続される。
【００８５】
また、このエレベータシステムでは、各エレベータホール１０２の表示制御装置８は、エレベータホールの扉開閉等を制御する機器（図示せず）の付近に設置しているが、この表示制御装置８の一部または全部をエレベータ機械室に設置してもよい。
【００８６】
このエレベータシステムによれば、各表示部１は表示制御装置８に近接して設置されているので、表示部１と表示制御装置８を結ぶ映像ケーブル１０３を長く引き回す必要がない。特に、エレベータ籠１０１に映像ケーブル１０３を引き回す必要がないので、表示部１の設置が容易である。
【００８７】
実施の形態９．
図１４はこの発明の実施の形態９に係るエレベータシステムの構成図である。図１４において、図１１と同一符号はそれぞれ同一または相当部分を示している。このエレベータシステムでは、表示部１はエレベータ籠１０１および各階のエレベータホール１０２に設置されている。エレベータ籠１０１の表示部１は表示制御装置１０６によって制御され、表示制御装置１０７の出力は、分配器１０８によって各階エレベータホール１０２に設置された表示部１に分配される。この結果、各エレベータホール１０２の表示部１は表示制御装置１０７に制御されている。表示制御装置１０６および表示制御装置１０７は、実施の形態１から５で説明した表示制御装置８と同等であり、コンテンツ等の設定が表示制御装置１０６はエレベータ籠１０１向けに設定されており、表示制御装置１０７はエレベータホール１０２向けに設定されている。
【００８８】
次に、このエレベータシステムの運用について説明する。エレベータ籠１０１の運行に合せて、エレベータ制御盤１５から表示制御装置１０６および表示制御装置１０７にエレベータ制御信号Ｃを送信する。表示制御装置１０６はエレベータ制御信号Ｃのうち、設定された信号を外部イベント信号として解釈し、指定されたコンテンツをエレベータ籠１０１内の表示部１に表示する。また、表示制御装置１０７は、外部イベント信号に対応して各階のエレベータホールに設置された表示部１に指定のコンテンツを表示する。
【００８９】
このエレベータシステムは２台の表示制御装置で、エレベータ籠内および各階のエレベータホールにおいて多彩な表示方法でコンテンツを表示することが可能である。
【００９０】
なお、このエレベータシステムでは、全ての階に表示部１を設置する場合を説明しているが、一部の階のみに表示部１を設置してもよい。
【００９１】
また、このエレベータシステムでは、表示制御装置１０６および表示制御装置１０７をエレベータ機械室１０５に設置している。このため、表示制御装置１０６をエレベータに設置して運用する場合に比べてエレベータ運行時に発生する振動の伝達を抑制することができる。また、２台の表示制御装置が一個所に集中して設置されているので、表示制御装置のメンテナンス性に優れている。
【００９２】
実施の形態１０．
図１５はこの発明の実施の形態１０に係るエレベータシステムの構成図である。図１５において、図１４と同一符号はそれぞれ同一または相当部分を示している。
【００９３】
このエレベータシステムでは、表示制御装置１０６をエレベータ籠１０１に取り付け、表示制御装置１０７をエレベータ機械室１０５に設置している。表示制御装置１０６はエレベータ籠１０１の表示部１に近接して設置されているので、表示部１と表示制御装置８を結ぶ映像ケーブル１０３を長く引き回す必要がない。
【００９４】
実施の形態１１．
図１６はこの発明の実施の形態１１に係るエレベータシステムの構成図である。図１６において、図１１と同一符号はそれぞれ同一または相当部分を示している。このエレベータシステムでは、表示部１は、エレベータ籠１０１、主エレベータホール１０９および他エレベータホール１１０に設置されている。エレベータ籠１０１の表示部１は表示制御装置１０６によって制御されている。主エレベータホール１０９の表示部１は表示制御装置１１１に制御されている。この表示制御装置１１１の出力は、分配器１１２によって主エレベータホール１０９に設置された表示部１に分配される。また、他エレベータホール１１０の表示部１は、表示制御装置１１３に制御されている。表示制御装置１１３の出力は、分配器１１４によって他エレベータホール１１０に設置された表示部１に分配される。表示制御装置１０６、表示制御装置１１１および表示制御装置１１３は実施の形態１から５で説明した表示制御装置８と同等である。
【００９５】
表示制御装置１０６はコンテンツ等の設定がエレベータ籠１０１向けに設定されている。表示制御装置１１１は、主エレベータホール、例えば、玄関に面したエレベータホールや催し会場に面したエレベータホールに設置された表示部１を制御しており、コンテンツ等が当該階の案内に対応した内容に設定されている。表示制御装置１１３は、他エレベータホールで表示するコンテンツが設定されている。
【００９６】
このエレベータシステムでは、複数の表示制御装置を用いているので、表示部１の設置された状況にあったコンテンツを表示することができる。
【００９７】
なお、このエレベータシステムでは、３台の表示制御装置を用いた場合について説明したが、３台以上の複数台を用いてエレベータシステムを構成することもできる。
【図面の簡単な説明】
【００９８】
【図１】この発明の実施の形態１に係るエレベータシステムの表示部の表示内容を示す図である。
【図２】実施の形態１の表示部をエレベータ籠内に設置した状態を示す図である。
【図３】この発明の実施の形態２に係るエレベータシステムの表示制御装置のブロック図である。
【図４】実施の形態２の表示制御装置の設定部の処理手順を示す流れ図である。
【図５】実施の形態２の表示制御装置の表示コントロール部の処理手順を示す流れ図である。
【図６】この発明の実施の形態３に係るエレベータシステムの表示制御装置のハードウェア構成を示すブロック図である。
【図７】実施の形態３の動画と他グラフィックスデータを合成する手順を説明するイメージ図である。
【図８】この発明の実施の形態４に係るエレベータシステムの表示制御装置のハードウェア構成を示すブロック図である。
【図９】この発明の実施の形態５に係るエレベータシステムの表示制御装置のハードウェア構成を示すブロック図である。
【図１０】実施の形態５の画像データ合成動作を説明するイメージ図である。
【図１１】この発明の実施の形態６に係るエレベータシステムの構成図である。
【図１２】この発明の実施の形態７に係るエレベータシステムの構成図である。
【図１３】この発明の実施の形態８に係るエレベータシステムの構成図である。
【図１４】この発明の実施の形態９に係るエレベータシステムの構成図である。
【図１５】この発明の実施の形態１０に係るエレベータシステムの構成図である。
【図１６】この発明の実施の形態１１に係るエレベータシステムの構成図である。
【図１７】従来のエレベータシステムの構成図である。
【符号の説明】
【００９９】
１  表示部、２〜４  表示領域、５  エレベータ籠、６  操作パネル、７  エレベータ扉、８  表示制御装置、９  設定部、１０  表示コントロール部、１１動画処理部、１２  静止画処理部、１３  テキスト処理部、１４  内部時計、１５  エレベータ制御盤、１６  外部信号受信部、１７  外部信号蓄積部、１８外部信号解析部、１９  ＣＰＵ、２０  ＣＰＵバス、２１  メインメモリ、２２  ハードディスク、２３  動画処理ハードウェア、２４  グラフィック処理ハードウェア、２５  デジタルエンコーダ、２６  外部信号処理部、２７  バッファ、２８  ＣＰＵ、２９  メモリ、３０  動画処理ハードウエア、３１  バッファ、３２  エンコーダ、３３  フレームメモリ、３４  動画処理コントローラ、３５  グラフィック処理ハードウェア、３６  画像処理部、３７  動画サイズ変更部、１０１  エレベータ籠、１０２  エレベータホール、１０３  映像ケーブル、１０４  制御信号線、１０５  エレベータ機械室、１０６，１０７  表示制御装置、１０８  分配器、１０９  主エレベータホール、１１０  他エレベータホール、１１１，１１３  表示制御装置、１１２，１１４  
【図１】
2005314115.tif 000003
【図２】
2005314115.tif 000004
【図３】
2005314115.tif 000005
【図４】
2005314115.tif 000006
【図５】
2005314115.tif 000007
【図６】
2005314115.tif 000008
【図７】
2005314115.tif 000009
【図８】
2005314115.tif 000010
【図９】
2005314115.tif 000011
【図１０】
2005314115.tif 000012
【図１１】
2005314115.tif 000013
【図１２】
2005314115.tif 000014
【図１３】
2005314115.tif 000015
【図１４】
2005314115.tif 000016
【図１５】
2005314115.tif 000017
【図１６】
2005314115.tif 000018
【図１７】
2005314115.tif 000019